(57)【要約】【課題】複数配色原稿の画像データに対する刷り上がり配色を原稿読み取り前に指定することができ、仕上がり時間の短縮化を実現することができる画像形成装置を提供する。【解決手段】フルカラー画像が形成されたフルカラー原稿に対して少なくともフルカラー刷りとモノクロ刷りの異なった形態での刷り上げを可能とした画像形成部を備えた画像形成装置を用い、異なった配色の複数枚の原稿に対してその刷り上がり状態を操作部１０の操作によって指定カラーモードに指定した後に、複数枚の原稿に含まれるフルカラー原稿をそのままフルカラー刷りで仕上げる枚数を指定し、指定された枚数以内のフルカラー原稿に対してはフルカラー刷りを行い、指定された枚数を超えたフルカラー原稿に対してはモノクロ刷りを行う。【選択図】      図４
2008035262.tif 000002
【特許請求の範囲】
【請求項１】
黒以外の色を含む非モノクロ画像が形成された非モノクロ原稿に対して少なくとも非モノクロ刷りとモノクロ刷りの異なった形態で刷り上げることができる画像形成部を備えた画像形成装置であって、
複数頁の原稿に含まれる非モノクロ原稿を非モノクロ画像で刷り上げる枚数を指定する指定手段とを備えていることを特徴とする画像形成装置。
【請求項２】
前記非モノクロ原稿が、黒以外の単色からなるモノカラー原稿又は黒＋黒以外の単色からなる二色カラー原稿の何れかを含んでおり、
前記指定手段は、前記モノカラー原稿又は前記二色カラー原稿に対してそのままの配色で刷り上げる場合の枚数を指定することを特徴とする請求項１に記載の原稿形成装置。
【請求項３】
前記非モノクロ原稿が、三色以上のフルカラー原稿を含んでおり、
前記指定手段は、前記フルカラー原稿に対してそのままの配色で刷り上げる場合の枚数を指定することを特徴とする請求項１に記載の原稿形成装置。
【発明の詳細な説明】
【技術分野】
【０００１】
本発明は、画像形成装置、特に、黒以外の色を含む非モノクロ画像が形成された非モノクロ原稿に対して少なくとも非モノクロ刷りとモノクロ刷りの異なった形態で刷り上げることができる画像形成部を備えた画像形成装置に関する。
【背景技術】
【０００２】
従来、複写機や複写機能を備えた複合機等の画像形成装置のように、画像読取部で読み取った原稿の画像データに基づいて搬送シートの表面に画像を形成するものが周知である。
【０００３】
この際、例えば、原稿読取部で読み取る原稿は、黒単色（濃淡を含む）で画像形成されたモノクロ原稿の他、非モノクロ原稿として、黒以外の単色で画像形成されたモノカラー原稿又は黒＋黒以外の単色で画像が形成された二色カラー原稿（以下、モノカラーと二色カラーとは「カラー」で総称する。）、三色以上で画像形成されたフルカラー原稿にそれぞれ種別される。
【０００４】
そして、これらのモノクロ原稿・カラー原稿・フルカラー原稿を用いて画像形成装置にて画像形成処理を行う場合、画像形成装置でのモード設定を各原稿種別に対応したモノクロモード・カラーモード・フルカラーモードに設定することで原稿画像と一致するような配色のモノクロ画像・カラー画像・フルカラー画像が搬送シートに形成される。
【０００５】
また、このようなモノクロ画像・カラー画像・フルカラー画像を形成することができる画像形成装置を、コンビニエンスストア等に課金制の複合機等として、或いは、リース契約に基づく課金制の複合機等として設置し、例えば、モノクロ画像を形成するモノクロ刷りの場合の料金（例えば、全サイズ１０円）と、カラー画像を形成するカラー刷りの場合の料金（例えば、全サイズ２０円）と、フルカラー画像を形成するフルカラー刷りの場合の料金（例えば、Ｂ４サイズまでは８０円、Ａ３サイズは１５０円）とを別々に設定して利用可能としている。
【０００６】
ところが、このような課金制の複合機等にあっては、例えば、フルカラーモードを利用して自動原稿送り装置（ＡＤＦ）により複数頁の原稿の画像を読み取った場合、全ての読取原稿に対してフルカラー刷りの料金で課金されてしまうため、例えば、原稿全頁のうちの一部の原稿にのみフルカラー原稿が存在しており、他の原稿はモノクロ原稿であった場合、その経済的な損失は大きなものとなってしまうという問題が生じていた。
【０００７】
従って、このような損失を防止するためには、ＡＤＦを利用しないで原稿毎（或いは原稿種別毎）にモードを設定して画像形成処理を行うことになるが、このような作業は非常に面倒である。
【０００８】
そこで、このような複数頁の原稿にモノクロ原稿・カラー原稿・フルカラー原稿の少なくとも二種類が混在している場合に、ＡＤＦを利用した一度の原稿読み取り処理でモノクロ原稿はモノクロ刷りとし、カラー原稿はカラー刷りとし、フルカラー原稿はフルカラー刷りとすることができると共に、単一モード（例えば、フルカラーモード）の課金体系に依存することなく原稿種別に応じた適正モード毎に課金することができれば、利用者側にとっては利便性の向上と経済性の向上とを実現することができ、汎用性の高い画像形成装置とすることができる。
【０００９】
尚、このような技術は、原稿に形成されている画像上に色のついた画素（配色画素）があるかどうかを判定することでその原稿がモノクロ原稿であるのかカラー原稿であるかフルカラー原稿であるのかを判別し、その判別結果に応じて画像形成処理を切り替えるオートカラーセレクト（ＡＣＳ）機能として知られている（例えば、特許文献１参照）。
【００１０】
一方、このようなカラー原稿やフルカラー原稿にあっては、例えば、顧客等への提出用に原稿を用い、手元の控え等用にその原稿を用いた複写稿とする際、その原稿中において、会社ロゴマークのみを単色カラーで形成したカラー原稿はモノクロ刷りとする、写真等を含むフルカラー原稿はフルカラー刷りとする、色分けグラフ等を含むフルカラー原稿はモノクロ刷りとする、といったように高価なカラートナー（インク）をなるべく使用しないようにすることができれば、さらなる経済的負担を軽減することができる。尚、カラー原稿やフルカラー原稿からモノクロ刷りの複写稿を得る技術は周知である。
【００１１】
そこで、上述した原稿画像の配色を自動識別して複写を行うＡＣＳ機能（自動カラーモード）とは異なり、ＡＤＦを利用して読み取ったフルカラー原稿に使用されている配色画素の割合を判別し、所定値以下の割合で配色画素が存在している場合にはモノクロ刷りとし、所定値以上の割合で配色画素が存在している場合にはフルカラー刷り（又はカラー刷り）とする技術（例えば、特許文献２参照）や、ＡＤＦを利用して読み取った原稿に使用されている配色画素の割合を判別してフルカラー画像とモノクロ画像とを頁単位で分別すると同時に料金計算を行い、必要に応じてフルカラー画像をモノクロ刷りで画像形成するように選択的に変更可能とした技術（例えば、特許文献３参照）が提案されている。
【特許文献１】特開２００２−１５１０１号公報
【特許文献２】特開２００５−０２６７８８号公報
【特許文献３】特開２００３−２４４３６５号公報
【発明の開示】
【発明が解決しようとする課題】
【００１２】
ところが、上記の如く構成された画像形成装置にあっては、特許文献２及び特許文献３の何れにあっても、フルカラー画像をモノクロ刷りへと自動（特許文献２）若しくは手動（特許文献３）で変更することはできるものの、ＡＤＦを利用して原稿の読み取りを行い、その配色画素の割合を識別した後でなければフルカラー刷りかモノクロ刷りかの変更を行うことができず、刷り上げに時間を要するという問題が生じていた。
【００１３】
また、特許文献２に開示の技術にあっては、配色画素の割合でフルカラー原稿をフルカラー刷りとするのかモノクロ刷りとするのかを自動で行うため、フルカラー刷りで仕上げたいものまでモノクロ刷りとしてしまう場合があった。
【００１４】
さらに、特許文献３に開示の技術にあっては、一旦、全ての原稿の読み取りを行わないと刷り上がりの指定を行うことができないため、自動で振り分けるものに比べて刷り上げ時間をさらに要してしまう。
【００１５】
そこで、本発明は、上記事情を考慮し、複数配色原稿の画像データに対する刷り上がり配色を原稿読み取り前に指定することができ、仕上がり時間の短縮化を実現することができる画像形成装置を提供することを目的とする。
【課題を解決するための手段】
【００１６】
本発明の画像形成装置は、非モノクロ画像が形成された非モノクロ原稿に対して少なくとも非モノクロ刷りとモノクロ刷りの異なった形態で刷り上げることができる画像形成部を備えた画像形成装置であって、複数頁の原稿に含まれる非モノクロ原稿を非モノクロ画像で刷り上げる枚数を指定する指定手段とを備えていることを特徴とする。
【００１７】
このような構成によれば、複数配色の原稿の画像に対して、予め非モノクロ刷りとする原稿の枚数（原稿が両面印刷の場合には頁数）を指定することにより、仕上がり時間の短縮化を実現することができる。
【００１８】
この際、非モノクロ原稿が、黒以外の単色からなるモノカラー原稿又は黒＋黒以外の単色からなる二色カラー原稿の何れかを含んでいる場合、指定手段は、モノカラー原稿又は二色カラー原稿に対してそのままの配色で刷り上げる場合の枚数を指定することができる。
【００１９】
また、非モノクロ原稿が、三色以上のフルカラー原稿を含んでいる場合、指定手段は、フルカラー原稿に対してそのままの配色で刷り上げる場合の枚数を指定することができる。
【発明の効果】
【００２０】
本発明の画像形成装置によれば、複数配色原稿の画像データに対する刷り上がり配色を原稿読み取り前に指定することができ、仕上がり時間の短縮化を実現することができる。
【発明を実施するための最良の形態】
【００２１】
次に、本発明の一実施形態に係る画像形成装置について、図面を参照して説明する。尚、以下の説明において、本発明の枚数は、原稿が両面原稿であった場合を考慮して頁数として説明する。
【００２２】
（画像形成装置の全体構成）
図１は本発明の一実施形態に係る画像形成装置としての複合機の外観斜視図、図２は本発明の一実施形態に係る画像形成装置としての複合機の操作部の正面図、図３は本発明の一実施形態に係る画像形成装置としての複合機の説明図、図４は本発明の一実施形態に係る画像形成装置としての複合機の要部のブロック図である。
【００２３】
図１に示すように、本発明の一実施形態に係る画像形成装置としての複合機１は、装置本体２の上部側面に設けられたメインスイッチ３と、装置本体２の前面から引き出し可能な複数段の用紙トレイユニット４，５，６と、装置本体２の側面から開閉可能な手差し用紙トレイ７と、複写機・ファクシミリ・スキャナとして原稿を読み取る際の自動原稿送り装置（ＡＤＦ）８と、表示画面９を有すると共に各種機能等の設定・選択操作を行う操作部１０とを備えている。
【００２４】
尚、この複合機１の形状や構成・機能等は図示例のものに限定されるものではない。また、例えば、ソーター等のオプション機器等の設置を妨げるものではない。
【００２５】
操作部１０は、図２に示すように、フルカラー液晶パネルスイッチとしての表示画面９に隣接して複合機１の各種機能（複写機能、プリンタ機能、スキャナ機能、ファクシミリ機能）を選択する機能選択スイッチ１１と、複写部数・拡大縮小率・相手先電話番号等の数値入力時に使用するテンキー１２と、複写機能やファクシミリ機能の実行（画像形成開始）のスタートスイッチ１３と、設定クリアスイッチ１４と、機能リセットスイッチ１５と、複写機能等を選択している際の原稿（画像データ）に対する刷り上がりモードを選択するモード選択スイッチ１６とを備えている。尚、表示画面９と操作部１０とは、複写機能等を利用する際に、用紙サイズ設定・濃度設定・両面印刷設定・集約設定といった種々の設定を行うための操作機能も備えている。
【００２６】
モード選択スイッチ１６は、全ての原稿の刷り上がりをモノクロ刷りとするモノクロモードを実行するモノクロモード指定スイッチ１６ａと、全ての原稿の刷り上がりをフルカラー刷りとするフルカラーモードを実行するフルカラーモード指定スイッチ１６ｂと、全ての原稿の刷り上がりをカラー刷りとするカラーモードを実行するカラーモード指定スイッチ１６ｃと、配色が混在している原稿に対してその原稿の配色に応じた刷り上がりを自動的に行う自動カラーモードを実行する自動カラーモードを実行する自動カラーモード指定スイッチ１６ｄと、フルカラー刷りする頁数（枚数）を指定したうえで画像形成処理を実行する指定カラーモードを実行する指定カラーモード指定スイッチ１６ｅとを備えている。尚、例えば、フルカラーモードを指定したとしても、原稿がフルカラー原稿では無い場合に、その刷り上がりをフルカラーとすることはできない。
【００２７】
また、装置本体２の内部には、図３に示すように、手作業にて原稿をセットする場合のガラス板等の原稿載置読取部１７と、ＡＤＦ８を利用して原稿を読み取る場合の原稿通過読取部１８と、常時は原稿通過読取部１８の下方に位置し且つ原稿載置読取部１７に載置された原稿を読み取る場合には図示を略する駆動装置を介して図３の右側へと平行移動する斜設駆動ミラー１９と、斜設駆動ミラー１９で反射された光束を反射する一対の固定斜設ミラー２０，２１と、これら各ミラー１９，２０，２１で反射した光束に基づいて原稿画像を読み取るラインセンサ（カラーＣＣＤ）２２と、このラインセンサ２２で読み取った読取データに基づいて画像データを生成する画像データ処理部２３とを備えている。尚、固定斜設ミラー２０，２１は斜設駆動ミラー１９と同期して平行移動しても良い。この際、固定斜設ミラー２０，２１の移動距離は、ラインセンサ２２の配設位置を考慮して斜設駆動ミラー１９の移動距離の１／２等と短くすることができる。
【００２８】
また、画像データ処理部２３には、上述したラインセンサ２２で読み取った読取データの他、パーソナルコンピュータ等からの印刷指令データやファクシミリ回線を通じて受信した受信データが入力される。
【００２９】
さらに、複合機１は、画像データ処理部２３で生成した画像データに基づいて用紙トレイユニット４，５，６又は手差し用紙トレイ７から送られてきた搬送シート（図示せず）の表面に画像を形成する画像形成部２４と、その画像を搬送シートの表面に定着する定着部２５と、画像定着済みの搬送シートを排出トレイ２６の上方に排出する排出部２７とを備えている。
【００３０】
画像形成部２４は、ここでは搬送シートにフルカラー刷りを行うことができるように、複数の画像形成ユニット２８〜３１を備えている。
【００３１】
各画像形成ユニット２８〜３１は、この実施の形態においては、シート搬送方向上流側から順に、ブラック（Ｋ）用の画像形成ユニット２８、イエロー（Ｙ）用の画像形成ユニット２９、マゼンタ（Ｍ）用の画像形成ユニット３０、シアン（Ｃ）用の画像形成ユニット３１が配置されている。また、画像形成ユニット２８〜３１は、上述した各色毎のトナーを収納しており、必要に応じてアモルファスシリコン等を感光体とするドラム状の感光体３２〜３５にトナーを担持させ、そのトナーを搬送シート上に転写して未定着トナー画像を形成（静電潜像を可視化）し、その未定着トナー画像を定着部２５によって定着した後に排出部２７から排出トレイ２６上へと排出する。
【００３２】
（主な機能形態）
以下、主な機能形態を説明する。尚、ここではラインセンサ２２及び画像データ処理部２３の具体的な処理は省略して説明する。
【００３３】
（複写機能）
複合機１は、ＡＤＦ８に読み取り原稿をセットして、又はＡＤＦ８を回動式に持ち上げて原稿載置読取部１７上に原稿をセットして読み取った画像データに基づいて、予め操作部１０を用いて設定した設定条件に応じた印刷処理（画像形成処理）を行う。
【００３４】
（プリンタ機能）
複合機１は、図示を略するパーソナルコンピュータ等とケーブル接続（無線又は有線のネットワークＬＡＮ接続を含む）されており、そのパーソナルコンピュータ等から出力した印刷指令データに含まれる画像データに基づいて所定の印刷処理（画像形成処理）を行う。この際、画像形成処理のための各種設定（例えば、拡大・縮小・集約等や印刷部数等）は、パーソナルコンピュータ（ネットワークサーバーを含む）等にインストールされた複合機１用のプリンタドライバを利用して設定され、これらの各種設定に係わるデータが印刷指令データの一部として含まれている。
【００３５】
（スキャナ機能）
複合機１は、図示を略するパーソナルコンピュータ等とケーブル接続（無線又は有線のネットワークＬＡＮ接続を含む）されており、ＡＤＦ８に読み取り原稿をセットして、又はＡＤＦ８を回動式に持ち上げて原稿載置読取部１７上に読み取り原稿をセットして読み取った画像データをケーブル接続されたパーソナルコンピュータ等に出力する。この際、画像形成処理のための各種設定（例えば、解像度等）は、パーソナルコンピュータ（ネットワークサーバーを含む）等にインストールされた複合機１用のスキャナドライバを利用して設定される。
【００３６】
（ファクシミリ機能）
複合機１は、ＡＤＦ８に読み取り原稿をセットして、又はＡＤＦ８を回動式に持ち上げて原稿載置読取部１７上に読み取り原稿をセットして読み取った画像データを、操作部１０で操作・指定した相手先にファクシミリ回線を通じてファクシミリ送信する。また、ファクシミリ回線を通じて受信した受信データに含まれる画像データに基づいて印刷処理（画像形成処理）を行う。この際、画像形成処理のための各種設定（例えば、送信先設定等）は、操作部１０での操作・指定の他、パーソナルコンピュータ（ネットワークサーバーを含む）等にインストールされた複合機１用のファクシミリドライバ（又はプリンタドライバ）を利用して設定される。従って、パーソナルコンピュータ等によるファクシミリ機能を利用することも可能である。尚、ファクシミリ回線を通じて相手先から受信した受信データには、相手先電話番号や用紙サイズ、送信枚数等に係わるデータが含まれている。
【００３７】
（画像データの処理）
一方、画像データ処理部２３では、図４に示すように、ＡＣＳ機能を有する画像解析部３６によって配色が識別されたうえで画像データ記憶部３７に頁数単位で対応付けされた状態で記憶される。また、画像解析部３６によって配色が識別された識別結果は、頁単位で対応付けされた状態で、フルカラー原稿、カラー原稿、モノクロ原稿の３タイプに分類付けされて制御回路部３８に出力される。
【００３８】
尚、ＡＤＦ８を利用した場合の頁単位の対応付けは、ＡＤＦ８に設けられたカウンタ３９によって対応付けされる。
【００３９】
制御回路部３８は、画像データ記憶部３７に記憶された画像データを利用して実際の画像形成処理用の印刷データを生成する画像生成部４０を制御する。この、画像生成部４０は、実際の画像形成処理用の印刷データを印刷データ記憶部４１へと記憶させ、その印刷データに基づいてドライバ４２を介してＬＥＤ４３〜４６へと印刷データを出力する。
【００４０】
ＬＥＤ４３〜４６は、各感光体３２〜３５に静電潜像を形成するもので、これにより各感光体３２〜３５にトナーが付着される。
【００４１】
また、読み取った原稿の画像に対する画像データは画像データ記憶部３７に記憶され、実際に画像形成するための印刷データは印刷データ記憶部４１に記憶されているため、多部数の複写稿を作成する場合等に有用である。
【００４２】
（具体的な制御例）
以下、本発明の画像形成処理における制御回路部３８の制御例を、複写機能時に適用して説明する。
【００４３】
図５は本発明の一実施形態に係る複合機における複写機能ルーチンのフロー図である。
【００４４】
（ステップＳ１）
ステップＳ１では、モード選択スイッチ１６の指定カラーモード選択スイッチ１６ｅが操作されたことに伴い、指定カラーモードが起動して表示画面９にカラー刷り又はフルカラー刷りする頁数を入力する旨のメッセージ等が表示されてステップＳ２へと移行する。
【００４５】
（ステップＳ２）
ステップＳ２では、指定スイッチとしてのテンキー１２等を用いた数字入力によって、カラー刷り又はフルカラー刷りする頁数が入力されてステップＳ３へと移行する。
【００４６】
（ステップＳ３）
ステップＳ３では、ＡＤＦ８に複数頁のモノクロ原稿やフルカラー原稿等が混在した原稿がセットされてスタートスイッチ１３が操作されると、原稿通過読取部１８を通過することによってラインセンサ２２に原稿の画像が読み取られてステップＳ４へと移行する。
【００４７】
（ステップＳ４）
ステップＳ４では、ラインセンサ２２で読み取った画像を画像解析部３６で解析してその解析結果を制御回路部３８に出力してステップＳ５へと移行する。
【００４８】
尚、カラー原稿であるか否かを解析するに際して、予め特定の二色（例えば、黒と赤）を限定し、その特定の２色が含まれている原稿のみをカラー原稿と定義することも可能である。
【００４９】
（ステップＳ５）
ステップＳ５では、画像解析部３６で解析した読み取り画像を頁単位で対応付けした画像データとして画像データ記憶部３７に記憶してステップＳ６へと移行する。また、画像解析部３６で解析した読み取り結果に基づく頁単位での原稿種別（ここでは、モノクロ原稿、カラー原稿、フルカラー原稿）に関する情報が制御回路部３８に出力される。
【００５０】
（ステップＳ６）
ステップＳ６では、画像解析部３６で解析した読み取り画像の画像データ（ここでは、画像データ記憶部３７に記憶した画像データに一致）を画像生成部４０へと出力し、その画像データ記憶部３７に記憶した画像データと一致する画像データを頁単位で対応付けして印刷データを生成してステップＳ７へと移行する。
【００５１】
この際、画像解析部３６で解析された読み取り画像の原稿種別がカラー原稿またはフルカラー原稿であれば、原稿種別の頁数（解析頁数）に１を加算する。ステップＳ２で入力された頁数と現時点での解析頁数とを比較し、同数か解析頁数の方が少ない場合には、カラー原稿とフルカラー原稿とをカラー刷り及びフルカラー刷りするものとし、画像データをそのまま印刷データとする。
【００５２】
さらに、ステップＳ２で入力された頁数と解析頁数とを比較し、ステップＳ２で入力された頁数よりも解析頁数の方が多い場合には、既にカラー刷りまたはフルカラー刷りする指定頁数を超えていることになる。この場合、カラー原稿及びフルカラー原稿に対する画像データからモノクロ刷り用の印刷データを生成する。
【００５３】
（ステップＳ７）
ステップＳ７では、画像生成部４０で生成した印刷データを印刷データ記憶部４１に記憶してステップＳ８へと移行する。
【００５４】
（ステップＳ８）
ステップＳ８では、再度のスタートスイッチ１３（或いは、他の印刷開始スイッチ）が操作されることにより、印刷データ記憶部４２に記憶された印刷データを印刷する。
【００５５】
（ステップＳ９）
ステップＳ９では、以上のステップＳ３〜ステップＳ８の処理が全ての頁について実行されたか否かを判断され、実行された場合には処理を終了し、実行されていない場合にはステップＳ３へとループする。
【００５６】
なお、処理時間の短縮のため、ステップＳ３〜ステップＳ５、ステップＳ６〜ステップＳ７および、ステップＳ８を並行して実行しても良い。
【００５７】
また、ステップＳ３〜ステップＳ５を全頁について実行してから、ステップＳ６を実行しても良い。この場合、ステップＳ６に移行する時点で最終的な解析頁数が分かっているので、ステップＳ２で入力された頁数と解析頁数とを比較し、解析頁数の方が少ない場合には、エラーを表示画面９に表示させても良い。このことにより、ステップＳ２で必要以上に多い頁数をしていないか、ユーザに通知することができる。
【００５８】
このように、本発明の複合機１にあっては、予めフルカラー刷り（又はカラー刷り）する頁数を先に指定することにより、配色画素の割合を識別したり、フルカラー刷り指定するための原稿の読み取り・表示・指定といった行程を経る必要が無いため、仕上がり時間の短縮化を実現することができる。
【００５９】
ところで、上記実施の形態では、本発明の画像形成装置を複写機能を有する複合機に適用して説明したが、例えば、複写専用機に適用することができることは勿論である。
【００６０】
尚、原稿読み取り前にフルカラー刷り（又はカラー刷り）をする枚数（頁数）が予め指定されていることから、画像解析部３６で解析した結果に基づいて、その枚数（頁数）とカウンタ３９による読み取り枚数（頁数）とを関連付けしてフルカラー原稿又はカラー原稿でそのままフルカラー刷り又はカラー刷りするもの並びにモノクロ原稿でそのままモノクロ刷りを行うものはそのまま画像データを用いて画像形成処理を実行し、指定枚数（頁数）を超えたフルカラー原稿又はカラー原稿でモノクロ刷りするもののみを画像生成部４０で生成した印刷データを用いて画像形成処理を実行し、各記憶部３７，４１へのデータの記憶を行わないリアルタイム印刷を行うことも可能である。
【００６１】
また、ステップＳ６において、ステップＳ２で入力された頁数と解析頁数とを比較し、ステップＳ２で入力された頁数よりも解析頁数の方が多い場合に、原稿種別がフルカラー原稿であれば、カラー印刷するかモノクロ印刷するかを選択できるようにしても良い。
【００６２】
また、上記実施例では、ステップＳ６において、カラー原稿およびフルカラー原稿の両方を解析頁数に加算したが、カラー原稿とフルカラー原稿の何れか一方を加算するようにしても良い。
【図面の簡単な説明】
【００６３】
【図１】本発明の一実施形態に係る画像形成装置としての複合機の外観斜視図である。
【図２】本発明の一実施形態に係る画像形成装置としての複合機の操作部の正面図である。
【図３】本発明の一実施形態に係る画像形成装置としての複合機の説明図である。
【図４】本発明の一実施形態に係る画像形成装置としての複合機の要部のブロック図である。
【図５】本発明の一実施形態に係る画像形成装置としての複合機における複写機能ルーチンのフロー図である。
【符号の説明】
【００６４】
１…複合機（画像形成装置）
９…表示画面
１０…操作部
１２…テンキー（指定スイッチ）
１６…モード選択スイッチ
２４…画像形成部
【図１】
2008035262.tif 000003
【図２】
2008035262.tif 000004
【図３】
2008035262.tif 000005
【図４】
2008035262.tif 000006
【図５】
2008035262.tif 000007